(57)【要約】      （修正有）【課題】複数個のトレーを、鉢植えを収容状態で上下方向に重ねられる様にした多段式トレーを提供する。【解決手段】上方開口するスペーサ１と、該スペーサ１により上下配置される上下トレー２、３とを有し、上トレー３を、上記スペーサ１の上方開口部に嵌め込んで、上トレー３の上端外周部に周設した鍔部４をスペーサ１の上端部に載置しているため、下トレー２及び上トレー３で少なくとも上下２段に重ねて運搬・保管することが可能になる。【選択図】図１
0003161112.tif 000002
【実用新案登録請求の範囲】
【請求項１】
少なくとも三方に側板を有し且つ上方開口するスペーサと、該スペーサにより上下配置される上下トレーとを有し、上トレーを、上記スペーサの上方開口部に嵌め込んで、上トレーの上端外周部に周設した鍔部をスペーサの上端部に載置したことを特徴とする多段式トレー。
【請求項２】
スペーサは、矩形状の底板と該底板の少なくとも三方に形成した側面板とを有して上方開口し、スペーサ内に下トレーを収容し底板上に載置したことを特徴とする請求項１記載の多段式トレー。
【請求項３】
スペーサは、少なくとも三方の側面板とを有して上下方開口し、下トレー内にスペーサを、該スペーサ内に下トレー内の鉢植えを収容する様に載置したことを特徴とする請求項１記載の多段式トレー。
【請求項４】
上記ボックスは、大きさの異なる複数個を入れ子状に重ね入れ可能に形成し、上記上トレーを、全てのボックスの上方開口部に嵌め込む様に、ボックスと同数としたことを特徴とする請求項１、２又は３記載の多段式トレー。
【考案の詳細な説明】
【技術分野】
【０００１】
本考案は、複数個のトレーを、鉢植えを収容状態で上下方向に重ねられる様にした多段式トレーに関する。
【背景技術】
【０００２】
従来鉢植えは、プラスチック製のトレーや段ボールに複数個配列収容して、生産者から市場に出荷されて平置きの状態で競りにかけられ、競り落とされた鉢植えはトレーや段ボールに収容状態のまま平積み状態で積載して搬送され、小売店等に搬入されても同じ状態で平置きされている。
【考案の概要】
【考案が解決しようとする課題】
【０００３】
しかし、上記トレー又は段ボールでは平置きにしか出来ないため、車載量やバックヤードでの保管量に限界があるなど、解決せねばならない課題があった。
【課題を解決するための手段】
【０００４】
本考案は、上記従来技術に基づく、平置きしにか出来ない課題に鑑み、少なくとも三方に側面板を有し且つ上方開口するスペーサと、該スペーサにより上下配置される上下トレーとを有し、上トレーを、上記スペーサの上方開口部に嵌め込んで、上トレーの上端外周部に周設した鍔部をスペーサの上端部に載置することによって、トレーを少なくとも上下２段に重ねて運搬・保管することを可能にし、更に上記スペーサは、大きさの異なる複数個を入れ子状に重ね入れ可能に形成すれば、トレーを３段以上重ねて運搬・保管することを可能にして、上記課題を解決する。
【考案の効果】
【０００５】
要するに本考案は、少なくとも三方に側板を有し且つ上方開口するスペーサと、該スペーサにより上下配置される上下トレーとを有し、上トレーを、上記スペーサの上方開口部に嵌め込んで、上トレーの上端外周部に周設した鍔部をスペーサの上端部に載置したので、少なくとも２個のトレーを、鉢植えを収容した状態で上下に重ねることが出来、且つそのままの状態で運搬することが出来ることから、運搬車輛への積載量を倍増させることが出来るため、運搬コストを半減させることが出来、而も保管スペースの省スペース化を図ることが出来る。
具体的には、スペーサは、矩形状の底板と該底板の少なくとも三方に形成した側面板とを有して上方開口し、スペーサ内に下トレーを収容し底板上に載置したり、或いは少なくとも三方の側面板とを有して上下方開口し、下トレー内にスペーサを、該スペーサ内に下トレー内の鉢植えを収容する様に載置したので、鉢植えを収容した２個のトレーを簡単な構成で上下に重ねることを実現させることが出来る。
更に、上記スペーサは、大きさの異なる複数個を入れ子状に重ね入れ可能に形成し、上記上トレーを、全てのスペーサの上方開口部に嵌め込む様に、スペーサと同数としたので、運搬コストを更に削減することが出来ると共に、保管スペースの更なる省スペース化を図ることが出来る等その実用的効果甚だ大である。
【図面の簡単な説明】
【０００６】
【図１】本考案に係る多段式トレーの実施例１の斜視図である。
【図２】図１の断面図である。
【図３】本考案に係る多段式トレーの実施例２の断面図である。
【図４】本考案に係る多段式トレーの実施例３の断面図である。
【図５】本考案に係る多段式トレーの実施例４の斜視図である。
【図６】本考案に係る多段式トレーの実施例５の斜視図である。
【図７】図６の断面図である。
【図８】本考案に係る多段式トレーの実施例６の断面図である。
【図９】本考案に係る多段式トレーの実施例７の斜視図である。
【考案を実施するための形態】
【０００７】
以下、本考案に係る多段式トレーの実施の形態を図面に基づき説明する。
本考案に係る多段式トレーにあっては、基本的に、上方開口するスペーサ１と、該スペーサ１により上下配置される上下トレー２、３とを有し、上トレー３を、上記スペーサ１の上方開口部に嵌め込んで、上トレー３の上端外周部に周設した鍔部４をスペーサ１の上端部に載置しており、上記スペーサ１は、例えば段ボール製、プラスチック製として、複数個の鉢植えＷ、Ｗａ…を収容した上トレー３を載置可能な強度を有するものとし、少なくとも三方に側面板を有し、上記下トレー２及び上トレー３はプラスチック製とし、基本的構成は従来のトレーと変わらない。
【実施例１】
【０００８】
図１、２に示す様に、本考案に係る多段式トレーのスペーサ１、下トレー２及び上トレー３を夫々１個ずつとし、且つ下トレー２より上トレー３が大きく、スペーサ１は、矩形状の底板と四方の側面板とを有することで上方開口部が形成され、下トレー２はスペーサ１内に収容され底板上に載置されている。
【実施例２】
【０００９】
図３に示す様に、本考案に係る多段式トレーのスペーサ１、下トレー２及び上トレー３を夫々１個ずつとし、スペーサ１及び下トレー２は実施例１と同じであるが、上トレー３は、上記下トレー２と同形同大のトレー本体５と該トレー本体５に対し着脱自在な矩形枠板状の鍔部材６とで構成され、該鍔部材６は、トレー本体５の上端外周部に周設された鍔部分７の下面に当接して、鍔部分７及び鍔部材６で上トレー３の鍔部４を構成し、この鍔部４（鍔部材６）がスペーサ１の上端部に載置される。
【実施例３】
【００１０】
図４に示す様に、本考案に係る多段式トレーを、２個の上記スペーサ１、1aと、１個の下トレー２と、２個の上トレー３、3aとで構成し、スペーサ１、1aの基本的構成及び下トレー２は実施例１と同じであるが、大きいスペーサ1aより小さいスペーサ１を低くし、大きいスペーサ1a内に小さいスペーサ１を重ね入れて入れ子状にし、下トレー２より下方の上トレー３が大きく、下方の上トレー３より上方の上トレー３a が大きく、下トレー２は内側のスペーサ１内に収容され、上トレー３、3aの上端外周部に周設した鍔部４、4aをスペーサ１、1aの上端部に載置している。
【００１１】
尚、実施例３においては、２個のスペーサ１、1a及び２個の上トレー３、3aとしているが、全てのスペーサが入れ子状に重ね入れ可能で、全てのスペーサに上トレーを設置可能であれば、３個以上であっても良い。
又、上トレー３、3aの一方又は両方を、実施例２の上トレー３と同様に、トレー本体５と該トレー本体５に対し着脱自在な矩形枠板状の鍔部材６とで構成されていても良い。
【実施例４】
【００１２】
図５に示す様に、本考案に係る多段式トレーのスペーサ１、下トレー２及び上トレー３を夫々１個ずつとし、下トレー２及び上トレー３は実施例１と同じであるが、スペーサ１を矩形状の底板と三方の側面板とで構成して残る一方を開放状態としている。
【００１３】
尚、図示しないが、スペーサ１を矩形状の底板と四方の側面板とで構成すると共に、四方の側面板の任意の１枚を外側へ倒伏可能にして、四方のうち一方を開放可能としても良い。
又、実施例３における２個のスペーサ１、1aの一方又は両方を実施例４のスペーサ１と同構成にしても良く、更に上トレー３を、実施例２の上トレー３と同様に、トレー本体５と該トレー本体５に対し着脱自在な矩形枠板状の鍔部材６とで構成されていても良い。
【実施例５】
【００１４】
図６、７に示す様に、本考案に係る多段式トレーのスペーサ１、下トレー２及び上トレー３を夫々１個ずつとし、且つ下トレー２より上トレー３が小さく、スペーサ１は、四方の側面板とを有することで上下方開口部が形成され、下トレー２内にスペーサ１を、該スペーサ１内に下トレー２内の鉢植えＷ、Ｗａ…を収容する様に載置している。
【実施例６】
【００１５】
図８に示す様に、本考案に係る多段式トレーを、２個の上記スペーサ１、1aと、１個の下トレー２と、２個の上トレー３、3aとで構成し、スペーサ１、1aの基本的構成及び下トレー２は実施例５と同じであるが、大きいスペーサ1aより小さいスペーサ１を低くし、大きいスペーサ1a内に小さいスペーサ１を重ね入れて入れ子状にし、下トレー２より上方の上トレー3aが小さく、上方の上トレー3aより下方の上トレー３が小さく、下トレー２内にスペーサ１、1aを、内側のスペーサ１内に下トレー２内の鉢植えＷ、Ｗａ…を収容する様に載置し、上トレー３、3aの上端外周部に周設した鍔部４、4aをスペーサ１、1aの上端部に載置している。
【００１６】
尚、実施例６においては、２個のスペーサ１、1a及び２個の上トレー３、3aとしているが、全てのスペーサが入れ子状に重ね入れ可能で、全てのスペーサに上トレーを設置可能であれば、３個以上であっても良い。
【実施例７】
【００１７】
図５に示す様に、本考案に係る多段式トレーのスペーサ１、下トレー２及び上トレー３を夫々１個ずつとし、下トレー２及び上トレー３は実施例５と同じであるが、スペーサ１を矩形状の底板と三方の側面板とで構成して残る一方を開放状態としている。
【００１８】
尚、実施例６における２個のスペーサ１、1aの一方又は両方を実施例７のスペーサ１と同構成にしても良い。
【００１９】
次に、本考案に係る多段式トレーの作用について説明する。
実施例１、２、４、５、７の多段式トレーは、複数個の鉢植えＷ、Ｗａ…が収容された下トレー２をスペーサ１内に収容した後、複数個の鉢植えＷ、Ｗａ…が収容された上トレー３をスペーサ１上に設置し、実施例２の多段式トレーではトレー本体５の下部を鍔部材６内に嵌め込んで、トレー本体５側の鍔部分７の下面に鍔部材６を当接させた状態の上トレー３をスペーサ１上に設置する。
【００２０】
実施例３、６の多段式トレーは、２個のスペーサ１、1aを入れ子状に重ね入れた後、実施例３の場合には、複数個の鉢植えＷ、Ｗａ…が収容された下トレー２を内側のスペーサ１内に収容し、実施例６の場合には、複数個の鉢植えＷ、Ｗａ…が収容された下トレー２にスペーサ１、1aを、内側のスペーサ１内に下トレー２内の鉢植えＷ、Ｗａ…を収容する様に載置し、複数個の鉢植えＷ、Ｗａ…が収容された２個の上トレー３、3aを順次スペーサ１、1a上に設置する。
別の方法としては、実施例３の場合、内側のスペーサ１内に、複数個の鉢植えＷ、Ｗａ…が収容された下トレー２を収容した後、複数個の鉢植えＷ、Ｗａ…が収容された上トレー３をスペーサ１上に設置し、この状態の内側のスペーサ１を外側のスペーサ1a内に収容した後、上トレー３a をスペーサ1a上に設置し、実施例６の場合、複数個の鉢植えＷ、Ｗａ…が収容された下トレー２内に内側のスペーサ１を、該内側のスペーサ１内に下トレー２内の鉢植えＷ、Ｗａ…を収容する様に載置した後、複数個の鉢植えＷ、Ｗａ…が収容された上トレー３をスペーサ１上に設置し、外側のスペーサ1aを、該外側のスペーサ1a内に内側のスペーサ１を収容する様に下トレー２内に載置した後、複数個の鉢植えＷ、Ｗａ…が収容された上トレー3aをスペーサ1a上に設置する。
【００２１】
そして、店頭に陳列する場合には、実施例１、２、４、５、７の場合には上トレー３をスペーサ１から下ろした後、実施例３、６の場合に上トレー３、3aを順次スペーサ１、1aから下ろした後、スペーサ１内から下トレー２を取り出す。
【００２２】
特に、実施例３、６の多段式トレーは、スペーサ１の側方開放部よりスライド出入可能となり、上方にスペースがない場合に対処し易い。
【００２３】
実施例５〜７の多段式トレーを移動させる場合、最下部の下トレー２を持つため、スペーサ１が段ボールであっても底が抜けない。
【符号の説明】
【００２４】
１、1a      スペーサ
２          下トレー
３、3a      上トレー
４          鍔部
Ｗ、Ｗａ…  鉢植え
【図１】
0003161112.tif 000003
【図２】
0003161112.tif 000004
【図３】
0003161112.tif 000005
【図４】
0003161112.tif 000006
【図５】
0003161112.tif 000007
【図６】
0003161112.tif 000008
【図７】
0003161112.tif 000009
【図８】
0003161112.tif 000010
【図９】
0003161112.tif 000011